(57)【要約】【課題】ノート型パソコンによって机上の作業スペースが占有されることなく、任意の位置及び任意の角度にノート型パソコンを配置することができるノート型パソコン支持装置を提供する。【解決手段】  ノート型パソコン支持台と支持アームからなり、前記ノート型パソコン支持台が、ノート型パソコン支持盤とノート型パソコン脱落防止用の固定機構を備え、前記ノート型パソコン支持台の裏面に支持アームが回動可能かつ任意の位置で固定可能に取り付けられて構成されるノート型パソコン支持装置。【選択図】  図１
2005293178.tif 000002
【特許請求の範囲】
【請求項１】
ノート型パソコン支持台と支持アームからなるノート型パソコン支持装置において、
ノート型パソコン支持台が、ノート型パソコン支持盤とノート型パソコン脱落防止用の固定機構を備えてなり、
前記ノート型パソコン支持台の裏面に支持アームが回動可能かつ任意の位置で固定可能に取り付けられてなることを特徴とするノート型パソコン支持装置。
【請求項２】
ノート型パソコン脱落防止用の固定機構が、ノート型パソコン支持盤の前側の辺縁部に形成された溝部と、同溝部に沿って摺動し、所定個所で固定される１又は複数の係止具を備えてなるノート型パソコン本体前部の係止装置を備えてなることを特徴とする請求項１に記載のノート型パソコン支持装置。
【請求項３】
ノート型パソコン脱落防止用の固定機構が、ノート型パソコン支持盤の左右の辺縁部に形成された溝部と、同溝部に沿って摺動し、所定個所で固定される係止補助具と、同左右係止補助具間に架設されたノート型パソコン本体部の後ろ側を係止するための長尺係止部材とからなるノート型パソコン本体後部の係止装置を備えてなることを特徴とする請求項１又は２のいずれかに記載のノート型パソコン支持装置。
【請求項４】
ノート型パソコン本体前部の係止装置が、ノート型パソコン支持盤の前側の辺縁部に形成された溝部と、同溝部に沿って摺動し、所定個所で固定でき、かつ所定の高さで固定できる庇状の押さえ部材を備えた１又は複数の狭持装置を備えてなることを特徴とする請求項１〜３のいずれか１項に記載のノート型パソコン支持装置。
【請求項５】
前記狭持装置が庇状の押さえ部材と内筒部材と外筒部材を備えてなり、
前記内筒部材の上端に水平方向に突出した庇状の押さえ部材が固着され、同内筒部材の内周面に雌ネジが螺刻され、前記外筒部材には、垂直方向に貫通孔が穿設され、
前記内筒部材が前記外筒部材に垂直方向に穿設された貫通孔に上から挿入され、同内筒部材の内周面の雌ネジが、前記貫通孔に下から挿入される固定ネジの雄ネジと螺接し、
前記固定ネジの回動により同内筒部材を上下方向に移動可能としてなることを特徴とする請求項４に記載のノート型パソコン支持装置。
【請求項６】
前記狭持装置が柱部材と同柱部材の上端に水平方向に突出して庇状に固設された押さえ部材とコイルバネと円柱部材を備え、前記円柱部材に形成された凹部の底部と柱部材が前記コイルバネで接合され、前記コイルバネの伸縮により柱部材とそれに固設される庇状の押さえ部材が上下方向に移動可能としてなることを特徴とする請求項４に記載のノート型パソコン支持装置。
【請求項７】
支持アームが、多関節アームで構成されることを特徴とする請求項１〜６のいずれか１項に記載のノート型パソコン支持装置。
【請求項８】
ノート型パソコン支持台の裏面に、ノート型パソコン支持台を３次元方向に角度を変更できる継手を固設してなることを特徴とする請求項１〜７のいずれか１項に記載のノート型パソコン支持装置。
【請求項９】
支持アームの一端に机等の天板に着脱自在に固定できるクランプが備えられてなることを特徴とする請求項１〜８のいずれか１項に記載のノート型パソコン支持装置。
【請求項１０】
ノート型パソコン支持盤とノート型パソコン脱落防止用の固定機構からなるノート型パソコン支持台であって、
前記ノート型パソコン脱落防止用の固定機構が、
ノート型パソコン支持盤の前側の辺縁部に形成された溝部と、同溝部に沿って摺動し、所定個所で固定される１又は複数の係止具を備えてなるノート型パソコン本体前部の係止装置と、
ノート型パソコン支持盤の左右の辺縁部に形成された溝部と、同溝部に沿って摺動し、所定個所で固定される係止補助具と、同左右係止補助具間に架設されたノート型パソコン本体部の後ろ側を係止する長尺係止部材とで構成されるノート型パソコン本体後部の係止装置と、
ノート型パソコン支持盤の前側の辺縁部に形成された溝部と、同溝部に沿って摺動し、所定の高さで固定される１又は複数の押さえ部材を備えた狭持装置からなることを特徴とするノート型パソコン支持台。
【発明の詳細な説明】
【背景技術】
【０００１】
本発明は、ノート型パソコンを机上等で使用する際に、ノート型パソコンを載置して使用されるノート型パソコン支持装置に関する。
【０００２】
従来、パソコンは、ディスプレイがブラウン管型の大型のものが主流であり、作業用の机上面の大部分をパソコンに占領されてしまい、机上における作業性の悪さが問題となっていた。
しかし、近年においては、めまぐるしいパソコンに係る技術の発展により、パソコンは小型化され、最近は、省スペースで操作でき、かつ持ち運びができるノート型のパソコン（ノート型パソコン）が、個人用だけでなく、業務用においても、広く採用され、机上の作業スペース確保の問題はかなり改善されてきている。
【０００３】
ところが、ノート型パソコンは、基本的に使用時はもちろん非使用時にも机上に載置されるので、実際には、机上におけるノート型パソコンの占有面積は少なくなく、作業スペースを大幅に占領されてしまう。また、一般的にノート型パソコンの底面には、操作時にノート型パソコン本体が動かないように滑止め部材が備えられているために、適度な力で押したり引いたりしても動かず、ちょっとした移動の際にも、両手で持ち上げて移動させなければならない。机上での作業時には、このような移動が度重なることもあり、非常に煩雑であり、作業効率が悪いという問題が生じている。
【０００４】
このような問題を解決するために、様々な装置の開発がなされている。
例えば、特開２００３−３４５４６２号公報に開示されているノート型パソコン用スタンドは、本体の左右両端部にスタンド部が設けられた、ノート型パソコンを垂直状態に立てて保管できるものであり、前記スタンド部の長手方向にスライド長孔が形成され、前記スライド長孔にパソコンを支持する止めリングが取り付けられ、前記本体の下方の横手方向にスタットスライド孔が形成され、同スタットスライド孔に挿入されたネジが、パソコンを垂直状態に立てた際に下方に落下することを防止するためのストッパーとなるように構成されている。
【特許文献１】特開２００３−３４５４６２号公報
【０００５】
また、特開２００３−４４１６５号公報には、ノート型パソコンの前面を下に、背面（後面）を上にして斜めに配置することができるノート型パソコン用スタンドが開示されている。前記ノート型パソコン用スタンドは、水平な基底部と、同基底部から垂直に立設される支柱と、同基底部面に形成されるパソコン前面の滑り止めとで形成されるものであり、ノート型パソコンの非使用時には、前記支柱にノート型パソコンを立てて配置し、ノート型パソコンの使用時には、前記滑り止めに支持されてノート型パソコンを配置し、キー操作面を使いやすい角度に傾斜させて使用できる構成となっている。
【特許文献２】特開２００３−４４１６５号公報
【０００６】
その他、特開２０００−１０５６２６号公報には、ノート型パソコンを載置する支持台を連結アームを介してベースに連結して、全体を伸展させたり、山折りにしてノート型パソコンを選択的に横臥位置と立掛位置とに保持するように形成されており、さらに前記立掛位置で支持台をロック機構を介してベースに係留するように構成されたパソコン支持装置が開示されている。
【特許文献３】２０００−１０５６２６号公報
【発明の開示】
【発明が解決しようとする課題】
【０００７】
しかし、上記のような様々な装置は、ノート型パソコンの非使用時における机上の作業スペースの確保の効果は得られるものの、使用時には、ノート型パソコン本体を動かさなければならなかったり、机上でのちょっとした移動の際には、装置自体を動かさなければならず、ノート型パソコン自体を動かす以上に煩雑な場合もあった。
また、パソコンを使いながら机上で作業をする場合などには、ノート型パソコンを傾斜させたままの場合には、ノート型パソコン自体が不安定であったり、キーボードの位置が安定していないため、キー操作しにくく、結局、机上に載置した状態にせざるを得ず、必ずしも作業性の向上が図れるというものではなかった。
【課題を解決するための手段】
【０００８】
本発明は、上記問題を解決するものであって、下記手段によりこの問題を解決した。
（１）ノート型パソコン支持台と支持アームからなるノート型パソコン支持装置において、ノート型パソコン支持台が、ノート型パソコン支持盤とノート型パソコン脱落防止用の固定機構を備えてなり、前記ノート型パソコン支持台の裏面に支持アームが回動可能かつ任意の位置で固定可能に取り付けられてなることを特徴とするノート型パソコン支持装置。
（２）ノート型パソコン脱落防止用の固定機構が、ノート型パソコン支持盤の前側の辺縁部に形成された溝部と、同溝部に沿って摺動し、所定個所で固定される１又は複数の係止具を備えてなるノート型パソコン本体前部の係止装置を備えてなることを特徴とする前記（１）に記載のノート型パソコン支持装置。
（３）ノート型パソコン脱落防止用の固定機構が、ノート型パソコン支持盤の左右の辺縁部に形成された溝部と、同溝部に沿って摺動し、所定個所で固定される係止補助具と、同左右係止補助具間に架設されたノート型パソコン本体部の後ろ側を係止するための長尺係止部材とからなるノート型パソコン本体後部の係止装置を備えてなることを特徴とする前記（１）又は（２）のいずれかに記載のノート型パソコン支持装置。
【０００９】
（４）ノート型パソコン本体前部の係止装置が、ノート型パソコン支持盤の前側の辺縁部に形成された溝部と、同溝部に沿って摺動し、所定個所で固定でき、かつ所定の高さで固定できる庇状の押さえ部材を備えた１又は複数の狭持装置を備えてなることを特徴とする前記（１）〜（３）のいずれか１項に記載のノート型パソコン支持装置。
（５）前記狭持装置が庇状の押さえ部材と内筒部材と外筒部材を備えてなり、
前記内筒部材の上端に水平方向に突出した庇状の押さえ部材が固着され、同内筒部材の内周面に雌ネジが螺刻され、前記外筒部材には、垂直方向に貫通孔が穿設され、
前記内筒部材が前記外筒部材に垂直方向に穿設された貫通孔に上から挿入され、同内筒部材の内周面の雌ネジが、前記貫通孔に下から挿入される固定ネジの雄ネジと螺接し、
前記固定ネジの回動により同内筒部材を上下方向に移動可能としてなることを特徴とする前記（４）に記載のノート型パソコン支持装置。
（６）前記狭持装置が柱部材と同柱部材の上端に水平方向に突出して庇状に固設された押さえ部材とコイルバネと円柱部材を備え、前記円柱部材に形成された凹部の底部と柱部材が前記コイルバネで接合され、前記コイルバネの伸縮により柱部材とそれに固設される庇状の押さえ部材が上下方向に移動可能としてなることを特徴とする前記（４）に記載のノート型パソコン支持装置。
【００１０】
（７）支持アームが、多関節アームで構成されることを特徴とする前記（１）〜（６）のいずれか１項に記載のノート型パソコン支持装置。
（８）ノート型パソコン支持台の裏面に、ノート型パソコン支持台を３次元方向に角度を変更できる継手を固設してなることを特徴とする前記（１）〜（７）のいずれか１項に記載のノート型パソコン支持装置。
（９）支持アームの一端に机等の天板に着脱自在に固定できるクランプが備えられてなることを特徴とする前記（１）〜（８）のいずれか１項に記載のノート型パソコン支持装置。
【００１１】
（１０）ノート型パソコン支持盤とノート型パソコン脱落防止用の固定機構からなるノート型パソコン支持台であって、前記ノート型パソコン脱落防止用の固定機構が、ノート型パソコン支持盤の前側の辺縁部に形成された溝部と、同溝部に沿って摺動し、所定個所で固定される１又は複数の係止具を備えてなるノート型パソコン本体前部の係止装置と、ノート型パソコン支持盤の左右の辺縁部に形成された溝部と、同溝部に沿って摺動し、所定個所で固定される係止補助具と、同左右係止補助具間に架設されたノート型パソコン本体部の後ろ側を係止する長尺係止部材とで構成されるノート型パソコン本体後部の係止装置と、ノート型パソコン支持盤の前側の辺縁部に形成された溝部と、同溝部に沿って摺動し、所定の高さで固定される１又は複数の押さえ部材を備えた狭持装置からなることを特徴とするノート型パソコン支持台。
【発明の効果】
【００１２】
本発明は、ノート型パソコン支持台と支持アームからなるノート型パソコン支持装置であって、ノート型パソコン支持台が、ノート型パソコン支持盤とノート型パソコン脱落防止用の固定機構を備え、前記ノート型パソコン支持台の裏面に支持アームが回動可能かつ任意の位置で固定可能に取り付けられて構成されるので、ノート型パソコンの使用時及び非使用時のどちらにおいても、ノート型パソコン支持台を机上等の空間に配置でき、かつノート型パソコンをあらゆる任意の位置及び任意の角度に配置することができる。
【００１３】
また、ノート型パソコン支持台に備えられるノート型パソコン脱落防止用の固定機構を、ノート型パソコン支持盤の前側の辺縁部に形成された溝部と、同溝部に沿って摺動し、所定個所で固定される１又は複数の係止具を備えてなるノート型パソコン本体前部の係止装置を備えて構成したり、あるいは、ノート型パソコン支持盤の左右の辺縁部に形成された溝部と、同溝部に沿って摺動し、所定個所で固定される係止補助具と、同左右係止補助具間に架設されたノート型パソコン本体部の後ろ側を係止するための長尺係止部材とからなるノート型パソコン本体後部の係止装置で構成し、また、ノート型パソコン本体前部の係止装置を、ノート型パソコン支持盤の前側の辺縁部に形成された溝部と、同溝部に沿って摺動し、所定個所で固定でき、かつ所定の高さで固定できる庇状の押さえ部材を備えた１又は複数の狭持装置を備えて構成しているので、ノート型パソコン支持台に載置されるノート型パソコンは確実かつ頑強にノート型パソコン支持台に係止されるので、ノート型パソコン支持台の裏面に固設される継手による、どのような角度の変化においても、ノート型パソコンが脱落することがなく、安定して載置された状態が保てるものとなっている。
【００１４】
すなわち、本発明のノート型パソコン支持装置によれば、支持アームが机上等の天板の縁部にクランプ等で固設され、かつ、支持アーム及びノート型パソコン支持台の裏面に固設される継手により、机上の空間の任意の位置に任意の角度でノート型パソコンを配置できるので、ノート型パソコンが机上の作業スペースを占有することなく、机上を有効的に活用することができるとともに、些細な動きには、潤滑に動くノート型パソコン支持装置を動かせばよく、ノート型パソコン自体を動かす必要がないので、煩雑な作業をすることなく、快適にノート型パソコンを使用することができる。
【発明を実施するための最良の形態】
【００１５】
本発明のノート型パソコン支持装置は、ノート型パソコン支持台と支持アームにより構成されるものである。前記ノート型パソコン支持台は、ノート型パソコンを載置する台であり、支持アームは、前記ノート型パソコン支持台を支持するものであり、前記ノート型パソコン支持台の裏面に取り付けられ、回動可能にかつ任意の位置で固定可能に構成されるものである。
ここで、ノート型パソコンとは、パソコンの本体部（ハードディスク装置や各種ドライブ装置等が配置されて構成される部分）とディスプレイ部（表示部分）とが一体型のパソコンであり、ノートのように開閉することができ、不使用時や持ち運びする際には、閉めた状態で、使用時には、開いた状態で用いられるものである。
一般に前記ノート型パソコンは大小さまざまな大きさのものが用いられているが、本発明のノート型パソコン支持装置は、ノート型パソコンの支持台に備えられているノート型パソコン脱落防止用の固定機構により、どのような大きさのノート型パソコンにも適用できる構成となっている。
【００１６】
本発明の実施の形態を図に基づいて説明する。
図１は本発明のノート型パソコン支持装置の全体斜視図、図２は本発明のノート型パソコン支持装置におけるノート型パソコンの支持台の斜視図、図３は本発明のノート型パソコン支持装置における支持アームの斜視図である。
図４〜図７は本発明のノート型パソコン支持装置における係止装置の説明用斜視図、図８及び図９は本発明のノート型パソコン支持装置における係止装置である狭持装置の説明用断面図、図１０は本発明のノート型パソコン支持装置における継手の説明用斜視図、図１１及び図１２は本発明のノート型パソコン支持装置の使用の例を示す全体斜視図である。
図中、１はノート型パソコン支持装置、２はノート型パソコン支持台、３は支持アーム、３Ａは第１のアーム部、３Ｂは第２のアーム部、３Ｃは第３のアーム部、４は係止装置Ａ、４’は係止装置Ｃ、５は係止装置Ｂ、６はノート型パソコンの支持盤、７は溝部、８は係止具、８ａは凸部、８ｂは係止部材、８ｃは固定ネジ、９は溝部、９ａは凸部、１０は係止補助具、１０ｂは架設用部材、１０ｃは固定ネジ、１０ｄはフック、１１は長尺係止部材、１２、１２’は狭持装置、１３は押さえ部材、１３ａは固定ネジ、１３ｂは内筒部材、１３ｃは外筒部材、１３ｄはコイルバネ、１３ｅは円柱部材、１３ｆは柱部材、１６はクランプ、１７は継手、１８は位置補助部材である。
【００１７】
本発明のノート型パソコン支持装置１は、図１の本発明のノート型パソコン支持装置の全体斜視図に示すように、ノート型パソコンが載置されるノート型パソコン支持台２と支持アーム３で構成されるものである。そして、前記ノート型パソコン支持台２は、ノート型パソコン支持盤６とノート型パソコン脱落防止用の固定機構が備えられ、前記ノート型パソコン支持台２の裏面には、支持アーム３が取り付けられている。なお、前記ノート型パソコン脱落防止用の固定機構としては、係止装置Ａ４と係止装置Ｂ５が備えられて構成されている。
前記ノート型パソコン脱落防止用の固定機構を構成する係止装置Ａ４及び係止装置Ｂ５は、図２の本発明のノート型パソコン支持装置におけるノート型パソコン支持台の斜視図に示すように、係止装置Ａ４においてはノート型パソコン支持盤６の前側の辺縁部に形成された溝部７と、同溝部７に沿って摺動し、所定個所で固定できる係止具８とで構成され、係止装置Ｂ５においてはノート型パソコン支持盤６の左右の辺縁部に形成された溝部９と同溝部９に沿って摺動し、所定個所で固定できる係止補助具１０と、同左右係止補助具１０間に架設された長尺係止部材１１とで構成されている。
【００１８】
また、支持アーム３は、回動可能でかつ任意の位置で固定可能に構成されたものであり、例えば多関節アームが採用される。
本実施例においては、図３に示すような、垂直方向に延びる軸を中心として回転する第１のアーム部３Ａと、第１のアーム部に対して垂直方向に延びる軸を中心として回転し、かつ垂直方向に揺動可能な第２のアーム部３Ｂと、前記第２のアーム部に対して垂直方向に延びる軸を中心として回転する第３のアーム部３Ｃからなり、前記第２のアーム部３Ｂの一端に第１のアーム部３Ａが連結され、同第２のアーム部３Ｂの他端に第３のアーム部３Ｃが連結されて構成される多関節アームが採用されている。
そして、支持アーム３の一端に机等の天板に着脱自在に固定できるクランプ１６が備えられ、机等の作業台の任意の場所に容易に固定することができる構成となっている。
【００１９】
上記多関節アームで構成される支持アーム３は、ノート型パソコン支持台２の高さ位置の変更や、使用者との距離の変更が容易であり、操作性が良いので、本発明のノート型パソコン支持装置１に最適であるが、支持アーム３は、同支持アーム３に取り付けられるノート型パソコン支持台２を確実に安定して支持でき、かつ水平方向及び垂直方向への回動が可能で、かつ任意の位置で固定可能なものであれば、その形状は限定されるものではない。
また、１つのクランプ１６に複数の支持アーム３を固定する構成として、机上空間を有効に使うこともできる。
さらに、本発明のノート型パソコン支持装置１は、設置場所の状況に合わせて、クランプ１６による天板等への取付でなく、机上などに載置する方法を採用することもできる。
【００２０】
本発明におけるノート型パソコン支持装置１は、ノート型パソコン支持台２がノート型パソコン支持盤６とノート型パソコン脱落防止用固定機構を備えており、どのような位置でも角度でも使用することができ、また、不使用時には任意の位置及び任意の角度で支持することができる構成となっている。
すなわち、前記ノート型パソコン脱落防止用の固定機構は、１又は複数の係止装置を備えて構成されるものである。
【００２１】
図４〜図７は、本発明における係止装置Ａ、係止装置Ｂ、係止装置Ｃの説明用斜視図であり、図８及び図９は本発明における係止装置Ｃの説明用断面図である。
図４に示す本発明における係止装置Ａ４は、ノート型パソコン支持盤６の前側の辺縁部に形成された溝部７と、同溝部７に沿って摺動し、所定個所で固定される係止具８で構成されている。
係止装置Ａ４は、ノート型パソコン支持盤６上に載置されるノート型パソコンの本体前部を、同ノート型パソコンの横方向の長さに合わせて係止するものであり、係止具８は、図５に示すようにノート型パソコン支持盤６の前側の辺端部に形成された溝部７に適合する凸部８ａが設けられ、また、ノート型パソコンの角部を係止するための係止部材８ｂが備えられて構成される。
【００２２】
本実施例においては、係止具８は、図４に示すように左右にそれぞれ１個ずつ配置され、ノート型パソコンを係止する際には、ノート型パソコン（図１参照）の前側の両端の角部が係止部材８ｂに当接し係止される位置まで、係止具８を溝部７に沿って矢印Ａに示すように摺動し、ノート型パソコンの前側の両端の角部に係止部材８ｂが係止した位置で、固定ネジ８ｃで固着する。
なお、本実施例では、ノート型パソコンの角部を係止するためにＬ型形状係止面を備えた係止部材８ｂを採用しているが、ノート型パソコンの形状や、使用する人の好みにより、ノート型パソコンの前側角部ではなく、前側中央部付近の辺端部等でノート型パソコンを係止したい場合などには、係止面をＬ型形状として角部を形成せずに、ノート型パソコン前側辺端部を当接して支持できる平らな形状とすることもできる。
【００２３】
また、図６に示す本発明における係止装置Ｂ５は、ノート型パソコン支持盤６上に載置されるノート型パソコンの本体後部を、同ノート型パソコンの縦方向の長さに合わせて係止するものであり、ノート型パソコン支持盤６の左右の辺縁部に形成された溝部９と、同溝部９に沿って摺動し、所定個所で固定される係止補助具１０と、同左右係止補助具１０、１０間に架設されたノート型パソコン本体部の後ろ側を係止する長尺係止部材１１とで構成されている。
前記係止補助具１０は、図７に示すようにノート型パソコン支持盤６の左右の辺端部に形成された溝部９に適合する凸部１０ａが設けられ、また、長尺係止部材１１を架設するための架設用部材１０ｂが形成されている。
そして、左右係止補助具１０、１０の間に長尺係止部材１１が架設され、前記長尺係止部材１１の両端が係止補助具１０に形設された架設用部材１０ｂとネジ等で固設された係止装置Ｂ５は、図６に示すように、ノート型パソコンを係止する際には、係止補助具１０をノート型パソコンの左右の辺縁部に形成された溝部９に沿って矢印Ｂに示すように摺動し、ノート型パソコンの後ろ側の辺端部に長尺係止部材１１が当接し係止した位置で、固定ネジ１０ｃで係止補助具１０を固着する。
【００２４】
なお、ノート型パソコンの後ろ側には、電源や各種周辺機器等との接続のための端子が設けられ、コード等が接続される場合が多いので、長尺係止部材１１がそれらコード等の配置に邪魔にならないよう、長尺係止部材１１に複数の孔を形成し、前記孔に嵌合する位置補助部材１８を配置し、前記位置補助部材１８をノート型パソコンに当接させて係止することもできる。
ノート型パソコンの後ろ側に配置される端子やコネクタの位置や種類は、ノート型パソコンによって異なるが、長尺係止部材１１に、前記位置補助部材１８を嵌着し、端子やコネクタなどの邪魔にならない位置に位置補助部材１８を配置することにより、ノート型パソコンと長尺係止部材１１との間に隙間が形成され、あるいは、長尺係止部材１１の配置位置を端子やコネクタが接触しない低い位置に配備することができるので、端子やコネクタの使用の邪魔にならない構成とすることができる。
また、左右の係止補助具１０に、布製のひもや弾性のひも状部材を掛けるフック１０ｄ等を備えておき、ノート型パソコン支持台２にノート型パソコンを載置した際に、ひも等でノート型パソコンをノート型パソコン支持台に係止することで、さらなる安定性の保持ができるものとなる。
【００２５】
図４には本発明における係止装置Ｃ４’が示されている。
係止装置Ｃ４’は、ノート型パソコン支持盤６の前側の辺縁部に形成された溝部７と、同溝部７に沿って摺動し、所定の高さで固定される庇状の押さえ部材１３を備えた１又は複数個の狭持装置１２で構成されている。
係止装置Ｃ４’は、ノート型パソコン支持盤６上に載置されるノート型パソコンを、そのノート型パソコンの前側で同ノート型パソコンを支持盤６と庇状の押さえ部材１３で挟むように構成されている。
そのため、狭持装置１２は、ノート型パソコンの高さに合わせて固定することができるものであり、例えば、図８に示すように、狭持装置１２を庇状の押さえ部材１３と内筒部材１３ｂ及び外筒部材１３ｃにより構成し、前記内筒部材１３ｂの上端に水平方向に突出して押さえ部材１３を固着し、前記内筒部材１３ｂの内周面に雌ネジを螺刻し、同内筒部材１３ｂを前記外筒部材１３ｃに垂直方向に穿設された貫通孔に上から挿入し、同内筒部材１３ｂの内周面の雌ネジを、前記貫通孔に下から挿入される固定ネジ１３ａの雄ネジと螺接させ、前記固定ネジ１３ａの回転により同内筒部材１３ｂを矢印Ｃのように上下方向に移動可能となるように構成し、ノート型パソコン１５を支持盤６上に載置した後に、所定高さまで、固定ネジ１３ａの調整によりノート型パソコン１５を係止する。
【００２６】
また、図９に示すように、前記狭持装置１２’を柱部材１３ｆと同柱部材の上端に水平方向に突出して固着される庇状の押さえ部材１３とコイルバネ１３ｄ及び円柱部材１３ｅで構成し、前記円柱部材１３ｅの上面に形成された凹部の底部と柱部材１３ｆを前記コイルバネ１３ｄで接合させて、コイルバネ１３ｄの伸縮により柱部材１３ｆとそれに固設される庇状の押さえ部材１３が上下方向に移動可能となるように構成することもでき、ノート型パソコン１５を支持盤６に載置する前に、庇状の押さえ部材１３を引き上げて、ノート型パソコン１５を支持盤６に載置し、押さえ部材１３を自由にすると、押さえ部材１３が接合されているコイルバネ１３ｄが、復元力により収縮するので、ノート型パソコン１５は庇状の押さえ部材１３により狭持され係止される。
【００２７】
狭持装置１２’は、ノート型パソコンの高さ方向を係止するものであり、その係止位置は自由に選択できるよう、ノート型パソコン支持盤６の前側の辺端部に形成された溝部７に摺動するように構成されることが好ましく、前記横方向の長さを係止する係止装置Ａ４の係止具８と外筒部材１３ｃ、円柱部材１３ｅを一体に構成することができる。
すなわち、図８に示す狭持装置１２の場合には、係止装置Ａ４の係止具８に縦方向の貫通孔を設け、同貫通孔に内筒部材１３ｂを挿入すればよく、図９に示す狭持装置１２’の場合には、係止具８の上面に凹部を形成すればよい。
このように狭持装置１２、１２’は、ノート型パソコンの前面を支持盤６と庇状の押さえ部材１３で狭持し係止するものであり、前記の狭持装置１２、１２’の構成の他にも、確実にノート型パソコンを狭持及び係止できる構成であれば、その形態は限定されない。
【００２８】
本発明のノート型パソコン支持装置１は、使用時及び非使用時において、ノート型パソコン支持台２をあらゆる任意の角度に変更することができるものであり、すなわちノート型パソコン支持台２を三次元方向に角度変更できるものである。
本発明におけるノート型パソコン支持装置１を構成するノート型パソコン支持台２の裏面には、ノート型パソコン支持台２を３次元方向に角度を変更できる継手１７を固設して構成される。
図１０は、ノート型パソコン支持台２の裏面に固設される継手の説明用斜視図である。
ノート型パソコン支持台２の裏面に固設される継手１７は、支持アーム３と接合される同継手１７の位置から、Ｘ方向、Ｙ方向、Ｚ方向のいずれの方向においても回動可能に構成されている。
そのため、ノート型パソコン支持台２は、上下方向、左右方向、斜め方向のあらゆる角度への変更ができるものとなっている。
【００２９】
図１１及び図１２は、本発明のノート型パソコン支持装置の使用の例を示す全体斜視図であるが、ノート型パソコン支持装置１におけるノート型パソコン支持台２は、水平方向（図１１参照）及び垂直方向（図１２参照）のあらゆる角度に回動可能にかつ任意の位置で固定可能に構成されている。
すなわち、本発明におけるノート型パソコン支持台２は、前記、各種の係止装置からなるノート型パソコン脱落防止用の固定機構を備え、ノート型パソコンを確実に係止しているので、ノート型パソコン支持台２の裏面に固設される継手１７のどのような動きにおいても、ノート型パソコンが脱落することがなく、安定して載置された状態が保てるものとなっている。
例えば、図１２に示すように垂直方向にノート型パソコン支持台２を固定することにより、ノート型パソコンの画面を垂直にして保持することができる。近年、パソコンで映画やテレビ番組を鑑賞することができるようになり、また、複数人に対するプレゼンテーションする場合などにも携帯に便利なノート型パソコンが使われる機会が増えている。
そのような場合には、前記のようにノート型パソコン支持台２を垂直方向に固定し、ノート型パソコンの画面を垂直に保持することにより、机上より高い位置にノート型パソコンの画面を配置することができるので、非常に鑑賞しやすい状態を提供することができるものとなる。
なお、本実施例において、継手１７は、支持アーム３との接合部を形成し、支持アーム３と確実に接合され、さらなる安定性の向上が図られている。
【図面の簡単な説明】
【００３０】
【図１】本発明のノート型パソコン支持装置の全体斜視図
【図２】本発明のノート型パソコン支持装置におけるノート型パソコンの支持台の斜視図
【図３】本発明のノート型パソコン支持装置における支持アームの斜視図
【図４】本発明のノート型パソコン支持装置における係止装置の説明用斜視図
【図５】本発明のノート型パソコン支持装置における係止装置の説明用斜視図
【図６】本発明のノート型パソコン支持装置における係止装置の説明用斜視図
【図７】本発明のノート型パソコン支持装置における係止装置の説明用斜視図
【図８】本発明のノート型パソコン支持装置における係止装置である狭持装置の説明用断面図
【図９】本発明のノート型パソコン支持装置における係止装置である狭持装置の説明用断面図
【図１０】本発明のノート型パソコン支持装置における継手の説明用斜視図
【図１１】本発明のノート型パソコン支持装置の使用の例を示す全体斜視図
【図１２】本発明のノート型パソコン支持装置の使用の例を示す全体斜視図
【符号の説明】
【００３１】
１    ノート型パソコン支持装置
２    ノート型パソコン支持台
３    支持アーム
３Ａ  第１のアーム部
３Ｂ  第２のアーム部
３Ｃ  第３のアーム部
４    係止装置Ａ
４’  係止装置Ｃ
５    係止装置Ｂ
６    ノート型パソコンの支持盤
７    溝部
８    係止具
８ａ  凸部
８ｂ  係止部材
８ｃ  固定ネジ
９    溝部
９ａ  凸部
１０  係止補助具
１０ｂ  架設用部材
１０ｃ  固定ネジ
１０ｄ  フック
１１  長尺係止部材
１２、１２’  狭持装置
１３    押さえ部材
１３ａ  固定ネジ
１３ｂ  内筒部材
１３ｃ  外筒部材
１３ｄ  コイルバネ
１３ｅ  円柱部材
１３ｆ  柱部材
１５    ノート型パソコン
１６    クランプ
１７    継手
１８    位置補助部材
【図１】
2005293178.tif 000003
【図２】
2005293178.tif 000004
【図３】
2005293178.tif 000005
【図４】
2005293178.tif 000006
【図５】
2005293178.tif 000007
【図６】
2005293178.tif 000008
【図７】
2005293178.tif 000009
【図８】
2005293178.tif 000010
【図９】
2005293178.tif 000011
【図１０】
2005293178.tif 000012
【図１１】
2005293178.tif 000013
【図１２】
2005293178.tif 000014